(57)【要約】【課題】伝送パス階層構造を、階層化していない状態に変更し、また、階層化していない伝送パス構造を階層化することが可能な伝送パス階層変更方法等を提供する。【解決手段】伝送パスの階層構造の変更指示を受け付け、トンネル化されていない伝送パスの一部をトンネル化する変更指示の場合には、該受け付けた指示に応答して、伝送パスの一部を構成する各ラベルに論理ラベルを設定して階層化し、トンネル化されている伝送パスのトンネル化を解除する変更指示の場合には、該受け付けた指示に応答して、伝送パスを構成する各ラベルに設定されている論理ラベルを除去することを特徴とする伝送パス階層変更方法。【選択図】図１
2011010063.tif 000002
【特許請求の範囲】
【請求項１】
複数のノードが通信路を介して接続されることにより構成された伝送ネットワーク上に、複数のノードを通る伝送パスが設定されている状態において、該伝送パスが通る一部の連続するノード間に新たな伝送パスを設定してトンネル化することにより階層構造を形成することが可能であり、トンネル化を解除することにより、前記伝送パスの階層構造を解除することが可能であり、
前記ノードは複数のラベルを含み、各ラベルには、固有の物理ラベルが付与されており、前記伝送パスを構成する入力用のラベルと出力用のラベルとをクロスコネクトで接続することにより、各ノード内の伝送パスを形成し、
トンネル化されている前記伝送パスを構成しているノードの該伝送パスを形成しているラベルには、論理ラベルが設定されており、トンネル化されていない前記伝送パスを構成するノードの、該伝送パスを形成しているラベルには、前記論理ラベルは付されていない、伝送ネットワークにおいて、
トンネル化されていない前記伝送パスの一部をトンネル化して該伝送パスを階層化し、トンネル化されている前記伝送パスのトンネル化を解除することにより該伝送パスを非階層化する伝送パス階層変更方法であって、
前記伝送パスの階層構造の変更指示を受け付け、トンネル化されていない前記伝送パスの一部をトンネル化する変更指示の場合には、該受け付けた変更指示に応答して、前記伝送パスの一部を構成する各ラベルに前記論理ラベルを設定して階層化し、トンネル化されている伝送パスのトンネル化を解除する変更指示の場合には、該受け付けた変更指示に応答して、前記伝送パスを構成する各ラベルに設定されている前記論理ラベルを除去する、
ことを特徴とする伝送パス階層変更方法。
【請求項２】
前記伝送パスを、該伝送パス上の全てのノードを特定して管理する非階層化管理ステップと、
前記伝送パスを、該伝送パス上の一部を構成する特定の伝送パスの識別情報と該特定の伝送パス以外の部分を構成するノードとを特定して管理する階層化管理ステップと、をさらに備える
ことを特徴とする請求項１に記載の伝送パス階層変更方法。
【請求項３】
前記階層化管理ステップは、前記特定の伝送パスの識別情報と該特定の伝送パスを構成するノードとを対応付けて管理するステップを備える
ことを特徴とする請求項２に記載の伝送パス階層変更方法。
【請求項４】
前記階層化管理ステップを実行中に、階層化の解除を指示する変更指示を発行するステップと、
前記非階層化管理ステップを実行中に、階層化を指示する変更指示を発行するステップと、を備える
ことを特徴とする請求項３に記載の伝送パス階層変更方法。
【請求項５】
複数のノードが通信路を介して接続されることにより構成された伝送ネットワーク上に、複数のノードを通る伝送パスが設定されている状態において、該伝送パスが通る一部の連続するノード間に新たな伝送パスを設定してトンネル化することにより階層構造を形成することが可能であり、トンネル化を解除することにより、前記伝送パスの階層構造を解除することが可能であり、
前記ノードは複数のラベルを含み、各ラベルには、固有の物理ラベルが付与されており、前記伝送パスを構成する入力用のラベルと出力用のラベルとをクロスコネクトで接続することにより、各ノード内の伝送パスを形成し、
トンネル化されている前記伝送パスを構成しているノードの該伝送パスを形成しているラベルには、論理ラベルが設定されており、トンネル化されていない前記伝送パスを構成するノードの、該伝送パスを形成しているラベルには、前記論理ラベルは付されていない、伝送ネットワークにおいて、
各ノードは、
前記伝送パスの階層構造の変更指示を受け付ける受付手段と、
前記受け付けた変更指示を、前記伝送パスを構成している隣接するノードに通知する通知手段と、
前記受け付けた変更指示が、トンネル化されていない前記伝送パスの一部をトンネル化して該伝送パスを階層化する変更指示の場合には、該受け付けた変更指示に応答して、前記伝送パスの一部を構成する各ラベルに前記論理ラベルを設定して階層化し、前記受け付けた変更指示が、トンネル化されている前記伝送パスのトンネル化を解除することにより該伝送パスを非階層化する変更指示の場合には、該受け付けた変更指示に応答して、前記伝送パスを構成する各ラベルに設定されている前記論理ラベルを除去するラベル変更手段と、を備える
ことを特徴とする伝送ネットワーク。
【請求項６】
前記伝送パスを、該伝送パス上の全てのノードを特定して管理する手段と、
前記伝送パスを、該伝送パス上の一部を構成する特定の伝送パスの識別情報と該特定の伝送パス以外の部分を構成するノードとを特定して管理する手段と、を備え、いずれかのノードに接続された管理手段をさらに備える
ことを特徴とする請求項５に記載の伝送ネットワーク。
【請求項７】
前記階層化管理手段は、前記特定の伝送パスの識別情報と前記特定の伝送パスを構成するノードとを対応付けて管理する手段を備える
ことを特徴とする請求項６に記載の伝送ネットワーク。
【請求項８】
前記管理手段は、接続先のノードに、前記階層化する前記変更指示を又は前記非階層化する変更指示を発行する手段を備える
ことを特徴とする請求項７に記載の伝送ネットワーク。
【請求項９】
複数のノードが通信路を介して接続されることにより構成された伝送ネットワーク上に、複数のノードを通る伝送パスが設定されている状態において、該伝送パスが通る一部の連続するノード間に新たな伝送パスを設定してトンネル化することにより階層構造を形成することが可能であり、トンネル化を解除することにより、前記伝送パスの階層構造を解除することが可能であり、
前記ノードは複数のラベルを含み、各ラベルには、固有の物理ラベルが付与されており、伝送パスを構成する入力用のラベルと出力用のラベルとをクロスコネクトで接続することにより、各ノード内の伝送パスを形成し、
トンネル化されている前記伝送パスを構成しているノードの該伝送パスを形成しているラベルには、論理ラベルが設定されており、トンネル化されていない前記伝送パスを構成するノードの、該伝送パスを形成しているラベルには、前記論理ラベルは付されていない、伝送ネットワーク用の、各ノードを構成する伝送装置であって、
前記伝送パスの階層構造の変更指示を受け付ける受付手段と、
前記受け付けた変更指示を、伝送パスを構成している隣接するノードに通知する通知手段と、
前記受け付けた変更指示が、トンネル化されていない前記伝送パスの一部をトンネル化して該伝送パスを階層化する変更指示の場合には、該受け付けた変更指示に応答して、前記伝送パスの一部を構成する各ラベルに前記論理ラベルを設定して階層化し、前記受け付けた変更指示が、トンネル化されている伝送パスのトンネル化を解除することにより該伝送パスを非階層化する変更指示の場合には、該受け付けた変更指示に応答して、前記伝送パスを構成する各ラベルに設定されている前記論理ラベルを除去するラベル変更手段と、を備える
ことを特徴とする伝送装置。
【請求項１０】
複数のノードが通信路を介して接続されることにより構成された伝送ネットワーク上に、複数のノードを通る伝送パスが設定されている状態において、該伝送パスが通る一部の連続するノード間に新たな伝送パスを設定してトンネル化することにより階層構造を形成することが可能であり、トンネル化を解除することにより、前記伝送パスの階層構造を解除することが可能であり、
前記ノードは複数のラベルを含み、各ラベルには、固有の物理ラベルが付与されており、前記伝送パスを構成する入力用のラベルと出力用のラベルとをクロスコネクトで接続することにより、各ノード内の伝送パスを形成し、
トンネル化されている前記伝送パスを構成しているノードの該伝送パスを形成しているラベルには、論理ラベルが設定されており、トンネル化されていない前記伝送パスを構成するノードの、該伝送パスを形成しているラベルには、前記論理ラベルは付されていない、伝送ネットワーク用の、各ノードを構成する伝送装置を、
前記伝送パスの階層構造の変更指示を受け付ける受付部、
前記受け付けた変更指示を、前記伝送パスを構成している隣接するノードに通知する通知部、
前記受け付けた変更指示が、トンネル化されていない前記伝送パスの一部をトンネル化して該伝送パスを階層化する変更指示の場合には、該受け付けた変更指示に応答して、前記伝送パスの一部を構成する各ラベルに前記論理ラベルを設定して階層化し、前記受け付けた変更指示が、トンネル化されている前記伝送パスのトンネル化を解除することにより該伝送パスを非階層化する変更指示の場合には、該受け付けた変更指示に応答して、前記伝送パスを構成する各ラベルに設定されている前記論理ラベルを除去するラベル変更部、
として機能させるプログラム。
【発明の詳細な説明】
【技術分野】
【０００１】
本発明は、伝送パスの階層を変更する技術に関する。
【背景技術】
【０００２】
伝送装置における伝送パス生成のための自律分散制御方式として一般的に用いられているＭＰＬＳ（Multi-Protocol Label Switching）では、伝送路網を構成する各ノードが自律的にシグナリング（例えば、ＲＳＶＰ−ＴＥ（Resource reSerVation Protocol with Traffic Engineering）など）を行うことで伝送パスを生成している。この方式により生成された伝送パスを階層化する仕組みとして、ＦＡ（Forwarding Adjacency）−ＬＳＰを用いた方法が、非特許文献１に開示されている。この文献によると、ＬＳＰをＦＡとして生成することで当該ＦＡ−ＬＳＰは伝送路上のリンクと同等に扱うことができ、ＦＡ−ＬＳＰ内に複数のＬＳＰを集約して階層化することが可能となる。
【先行技術文献】
【非特許文献】
【０００３】
【非特許文献１】K. Komplella and Y. Rekhter“Label Switched Paths (LSP) Hierarchy with Generalized Multi-Protocol Label Switching (GMPLS) Traffic Engineering (TE)”, RFC4206, IETF.
【発明の概要】
【発明が解決しようとする課題】
【０００４】
しかしながら、ＦＡ−ＬＳＰは始点と終点でのみ集約したＬＳＰを特定するための情報（例えば、使用しているタイムスロットなどのリソース情報）を有しており、中継点においてはどのＬＳＰを集約したかを把握することができない。このため、従来の方式ではＦＡ−ＬＳＰ内のＬＳＰに対して管理から外すことや、逆にＦＡ−ＬＳＰ外のＬＳＰをＦＡ−ＬＳＰの管理下に変更することができないという問題があった。
【０００５】
本発明は、上記問題に鑑みてなされたものであり、伝送パス階層構造を、階層化していない状態に変更し、また、階層化していない伝送パス構造を階層化することが可能な伝送パス階層変更方法等を提供することを目的とする。
【課題を解決するための手段】
【０００６】
上記目的を達成するため、本発明の第１の観点に係る伝送パス階層変更方法は、
複数のノードが通信路を介して接続されることにより構成された伝送ネットワーク上に、複数のノードを通る伝送パスが設定されている状態において、該伝送パスが通る一部の連続するノード間に新たな伝送パスを設定してトンネル化することにより階層構造を形成することが可能であり、トンネル化を解除することにより、前記伝送パスの階層構造を解除することが可能であり、
前記ノードは複数のラベルを含み、各ラベルには、固有の物理ラベルが付与されており、前記伝送パスを構成する入力用のラベルと出力用のラベルとをクロスコネクトで接続することにより、各ノード内の伝送パスを形成し、
トンネル化されている前記伝送パスを構成しているノードの該伝送パスを形成しているラベルには、論理ラベルが設定されており、トンネル化されていない前記伝送パスを構成するノードの、該伝送パスを形成しているラベルには、前記論理ラベルは付されていない、伝送ネットワークにおいて、
トンネル化されていない前記伝送パスの一部をトンネル化して該伝送パスを階層化し、トンネル化されている前記伝送パスのトンネル化を解除することにより該伝送パスを非階層化する伝送パス階層変更方法であって、
前記伝送パスの階層構造の変更指示を受け付け、トンネル化されていない前記伝送パスの一部をトンネル化する変更指示の場合には、該受け付けた変更指示に応答して、前記伝送パスの一部を構成する各ラベルに前記論理ラベルを設定して階層化し、トンネル化されている伝送パスのトンネル化を解除する変更指示の場合には、該受け付けた変更指示に応答して、前記伝送パスを構成する各ラベルに設定されている前記論理ラベルを除去する、
ことを特徴とする。
【０００７】
また、本発明の第２の観点に係る伝送ネットワークは、
複数のノードが通信路を介して接続されることにより構成された伝送ネットワーク上に、複数のノードを通る伝送パスが設定されている状態において、該伝送パスが通る一部の連続するノード間に新たな伝送パスを設定してトンネル化することにより階層構造を形成することが可能であり、トンネル化を解除することにより、前記伝送パスの階層構造を解除することが可能であり、
前記ノードは複数のラベルを含み、各ラベルには、固有の物理ラベルが付与されており、前記伝送パスを構成する入力用のラベルと出力用のラベルとをクロスコネクトで接続することにより、各ノード内の伝送パスを形成し、
トンネル化されている前記伝送パスを構成しているノードの該伝送パスを形成しているラベルには、論理ラベルが設定されており、トンネル化されていない前記伝送パスを構成するノードの、該伝送パスを形成しているラベルには、前記論理ラベルは付されていない、伝送ネットワークにおいて、
各ノードは、
前記伝送パスの階層構造の変更指示を受け付ける受付手段と、
前記受け付けた変更指示を、前記伝送パスを構成している隣接するノードに通知する通知手段と、
前記受け付けた変更指示が、トンネル化されていない前記伝送パスの一部をトンネル化して該伝送パスを階層化する変更指示の場合には、該受け付けた変更指示に応答して、前記伝送パスの一部を構成する各ラベルに前記論理ラベルを設定して階層化し、前記受け付けた変更指示が、トンネル化されている前記伝送パスのトンネル化を解除することにより該伝送パスを非階層化する変更指示の場合には、該受け付けた変更指示に応答して、前記伝送パスを構成する各ラベルに設定されている前記論理ラベルを除去するラベル変更手段と、を備える
ことを特徴とする。
【０００８】
また、本発明の第３の観点に係る伝送装置は、
複数のノードが通信路を介して接続されることにより構成された伝送ネットワーク上に、複数のノードを通る伝送パスが設定されている状態において、該伝送パスが通る一部の連続するノード間に新たな伝送パスを設定してトンネル化することにより階層構造を形成することが可能であり、トンネル化を解除することにより、前記伝送パスの階層構造を解除することが可能であり、
前記ノードは複数のラベルを含み、各ラベルには、固有の物理ラベルが付与されており、伝送パスを構成する入力用のラベルと出力用のラベルとをクロスコネクトで接続することにより、各ノード内の伝送パスを形成し、
トンネル化されている前記伝送パスを構成しているノードの該伝送パスを形成しているラベルには、論理ラベルが設定されており、トンネル化されていない前記伝送パスを構成するノードの、該伝送パスを形成しているラベルには、前記論理ラベルは付されていない、伝送ネットワーク用の、各ノードを構成する伝送装置であって、
前記伝送パスの階層構造の変更指示を受け付ける受付手段と、
前記受け付けた変更指示を、伝送パスを構成している隣接するノードに通知する通知手段と、
前記受け付けた変更指示が、トンネル化されていない前記伝送パスの一部をトンネル化して該伝送パスを階層化する変更指示の場合には、該受け付けた変更指示に応答して、前記伝送パスの一部を構成する各ラベルに前記論理ラベルを設定して階層化し、前記受け付けた変更指示が、トンネル化されている伝送パスのトンネル化を解除することにより該伝送パスを非階層化する変更指示の場合には、該受け付けた変更指示に応答して、前記伝送パスを構成する各ラベルに設定されている前記論理ラベルを除去するラベル変更手段と、を備える
ことを特徴とする。
【０００９】
また、本発明の第４の観点に係るプログラムは、
複数のノードが通信路を介して接続されることにより構成された伝送ネットワーク上に、複数のノードを通る伝送パスが設定されている状態において、該伝送パスが通る一部の連続するノード間に新たな伝送パスを設定してトンネル化することにより階層構造を形成することが可能であり、トンネル化を解除することにより、前記伝送パスの階層構造を解除することが可能であり、
前記ノードは複数のラベルを含み、各ラベルには、固有の物理ラベルが付与されており、前記伝送パスを構成する入力用のラベルと出力用のラベルとをクロスコネクトで接続することにより、各ノード内の伝送パスを形成し、
トンネル化されている前記伝送パスを構成しているノードの該伝送パスを形成しているラベルには、論理ラベルが設定されており、トンネル化されていない前記伝送パスを構成するノードの、該伝送パスを形成しているラベルには、前記論理ラベルは付されていない、伝送ネットワーク用の、各ノードを構成する伝送装置を、
前記伝送パスの階層構造の変更指示を受け付ける受付部、
前記受け付けた変更指示を、前記伝送パスを構成している隣接するノードに通知する通知部、
前記受け付けた変更指示が、トンネル化されていない前記伝送パスの一部をトンネル化して該伝送パスを階層化する変更指示の場合には、該受け付けた変更指示に応答して、前記伝送パスの一部を構成する各ラベルに前記論理ラベルを設定して階層化し、前記受け付けた変更指示が、トンネル化されている前記伝送パスのトンネル化を解除することにより該伝送パスを非階層化する変更指示の場合には、該受け付けた変更指示に応答して、前記伝送パスを構成する各ラベルに設定されている前記論理ラベルを除去するラベル変更部、
として機能させる。
【発明の効果】
【００１０】
本発明によれば、伝送パス階層構造を、階層化していない状態に変更し、また、階層化していない伝送パス構造を階層化することができる。
【図面の簡単な説明】
【００１１】
【図１】本発明の実施形態に係る伝送ネットワークシステムの全体構成を示す図である。
【図２】データ伝送部におけるクロスコネクトの一例を示す図である。
【図３】図２の物理ラベルと論理ラベルの関係を示す図である。
【図４】ノードに設定される伝送パスとデータリンクとの関係を示す図である。
【図５】階層化されていないＬＳＰ及び階層化されたＬＳＰと各ノードとの関係を示す図である。
【図６】ＲＳＶＰ−ＴＥを用いたシグナリングを示す図である。
【図７】ネットワーク管理システムに記憶される伝送パスと経路情報の関係を示す図である。
【図８】実施形態の階層変更処理を説明するためのフローチャート図である。
【図９】階層変更後のデータ伝送部におけるクロスコネクトの一例を示す図である。
【図１０】図９の物理ラベルと論理ラベルの関係を示す図である。
【図１１】ノードに設定される伝送パスとデータリンクとの関係を示す図である。
【図１２】ネットワーク管理システムに記憶される伝送パスと経路情報の関係を示す図である。
【発明を実施するための形態】
【００１２】
（実施形態）
本実施形態に係る伝送ネットワークシステム１は、ノード間の伝送パス階層構造の変更を行う。本実施形態では、伝送パスは、ＭＰＬＳプロトコルに従い設定される。以下、設定された伝送パスをＬＳＰという。
【００１３】
伝送ネットワークシステム１は、図１に示すように、複数のノード１１〜１５と、ネットワーク管理システム２０と、から構成される。ノード１１〜１５はインターネット等のネットワーク３０を介してネットワーク管理システム２０に接続され、相互に通信可能である。また、ノード１１〜１５の間はデータリンク４１〜４４で接続されている。以下、５つのノードを有するシステムについて説明するが、ネットワーク管理システム２０に接続されるノードの数はこれに限定されるものではなく、いくつでもよい。
【００１４】
ノード１１〜１５は、ネットワーク管理システム２０からの指示によってノード間にＭＰＬＳ伝送パスの設定あるいは切断などを行う機能を有し、設定した伝送パスに基づいて、隣接するノードとデータの伝送を行う伝送装置である。ノード１１〜１５は、それぞれ同じ機能構成を有する。以下、ノード１２について説明する。
【００１５】
ノード１２は、データ伝送部１２１と、制御部１２２と、記憶部１２３と、から構成される。
【００１６】
データ伝送部１２１は、データを隣接ノードとやり取りするための伝送路（データリンク）や、ＲＳＶＰ−ＴＥのようなシグナリングプロトコルのメッセージを隣接ノードとやり取りするための伝送路（コントロールチャネル）と接続される。データリンクは、データを外部から受け付けるための複数の入力データリンクとデータを外部へ送り出すための複数の出力データリンクから構成される。例えば、図１に示すように、ノード１２はデータリンク４１及びデータリンク４２と接続されている。データ伝送部１２１は、図２に示すように、入力側のデータリンクと接続する入力側と出力側のデータリンクと接続する出力側に分けられ、それぞれ複数のラベル（一種のチャネル）に分割されている。これらのラベルには、ノードの初期化時に決定された不変なＩＤ（以下「物理ラベル」という）が付されている。物理ラベルは、ノードの初期化時に決定された不変なＩＤである。ＴＤＭ（Time Division Multiplexing）の場合、各「ラベル」は、いずれかのタイムスロットに相当し、物理ラベルはタイムスロットを特定するＩＤである。また、ＷＤＭ（Wavelength Division Multiplexing）の場合、各「ラベル」は、いずれかの「波長帯域」を示し、物理ラベルは、波長帯域を特定するＩＤである。
以下、データ伝送部１２１の入力側の物理ラベルを「入力物理ラベル」、データ伝送部１２１の出力側の物理ラベルを「出力物理ラベル」という。また、ＦＡ−ＬＳＰを設定した場合にも、各データリンクに新たなラベル（以下、「論理ラベル」という）が付与される。図２の例では、入力側のデータリンク４１と出力側のデータリンク４２は、それぞれ、１０個のチャネルを含み、１〜１０のラベルが付されている。
【００１７】
制御部１２２は、ＣＰＵ（Central Processing Unit）と、ＲＡＭ（Random Access Memory）と、ＲＯＭ（Read Only Memory）とを備え、ＲＯＭ等に記憶されているソフトウェアプログラムに従って、ノード１２全体の制御を行う。また、制御部１２２は、機能的に、シグナリング部１２２ａと経路計算部１２２ｂとを有する。シグナリング部１２２ａは、ネットワーク管理システムからパス設定又は変更要求（Pathメッセージ）を受けると、そのメッセージを経路計算部１２２ｂに通知し、経路計算部１２２ｂが指定したノードにPathメッセージを送信する。経路計算部１２２ｂは、シグナリング部１２２ａからPathメッセージを受け付けると、所定の方式により、接続する次のノードを求める。一般的にPathメッセージは、伝送パスを確立する始点となる始点ノードと、終点となる終点ノードと、使用するラベルの数（例えば、タイムスロットの数，帯域の数）が含まれる。
【００１８】
記憶部１２３は、ハードディスクやフラッシュメモリ等の記憶装置を備え、データ伝送部１２１のラベルの関係（図３または図１０のテーブル）やノード１２に設定されたパスとデータリンクとの関係（図４（ａ）または図１１（ａ）のテーブル）を、記憶する。
【００１９】
以上の構成を有するノード１１〜１５に、ノード１１を始点、ノード１５を終点として、設定したＬＳＰの例を図５に示す。ＬＳＰ５１は、階層化されていない伝送パスであり、ノード１１からノード１５に至る伝送パス上のノードを逐一特定して定義されている。
【００２０】
一方、ＬＳＰ５２は、階層化された伝送パスの一例を示し、伝送パス上のノード１１、１２、１４、１５は特定され、ノード１２からノード１４に至る伝送パス上のノード（ノード１３）については、直接は特定されていないが、ノード１２からノード１３を介してノード１４に至る伝送パスＦＡ−ＬＳＰ５３が下位階層に定義されて、全体として、ノード１１→ノード１２→ノード１３→ノード１４→ノード１５という伝送パスが定義される。
これらのＬＳＰは、例えば、図６に示すＲＳＶＰ−ＴＥによるシグナリングにより、設定される。
各ノードのシグナリング部は、Pathメッセージを経路計算部で指定されたノードに送信し、データ送受に必要な（帯域幅分の）ラベル数を要求する。また各ノードのシグナリング部はPathメッセージの応答であるReserveメッセージをPathメッセージと逆の経路をたどって送信し、必要なラベル数を確保する。このようにして伝送パスが設定される。
【００２１】
図５に示す点線の丸は、経路となるノードを示している。ＬＳＰ５１の経路は、ＦＡ−ＬＳＰ５３を経由していないので、ノード１１が始点、ノード１２、１３、１４が中継点、ノード１５が終点である。これに対し、ＬＳＰ５２は、ＦＡ−ＬＳＰ５３を経由するので、ノード１１が始点、ノード１２、１４が中継点、ノード１５が終点である。ＬＳＰ５２は、実際にはノード１３を経由しているが、ＦＡ−ＬＳＰ５３は、トンネルを形成するため、以下の理由により、経路として認識されない。例えば、ノード１２、１４の記憶部には、設定されたパスとデータリンクとの関係が、図４（ａ）及び図４（ｃ）のように記憶されるが、ノード１３の記憶部には、図４（ｂ）に示すように、データリンクとラベルの関係のみが記憶される。
【００２２】
ＦＡ−ＬＳＰ５３は、ノード１２を始点とし、ノード１３を中継点、ノード１４を終点とするトンネルを構成するＬＳＰである。トンネルは複数のＬＳＰに経路を意識することなく中継するための手段であり、ＬＳＰにトンネルを通過するように設定する場合は始点ノード１２と終点ノード１４のみを経路としてシグナリングで設定する。このため、中継点となるノード１３では何のシグナリングもされないことから、どのようなＬＳＰを中継しているかを知る手段は無い。
【００２３】
ここで、ＦＡ−ＬＳＰが形成するトンネルの構成について図２を参照して説明する。図２は、１０個の物理ラベルに分割されたデータ伝送部１２１に、物理ラベル６個分にＦＡ−ＬＳＰを設定した場合の例を示す。データ伝送部１２１は１０個の入力物理ラベル及び１０個の出力物理ラベルを有する。また、図２の物理ラベルに付された括弧内の数字は論理ラベルを示す。物理ラベルは、上記の通り、初期化時に設定される不変のＩＤであるが、論理ラベルは、未使用ラベルに対し順番に付与する。したがって、ノード１２〜１４が形成するＦＡ−ＬＳＰのトンネル内では、同じ論理ラベルが使用される。例えば、ノード１２がトンネルを形成するノードではないとすると、物理ラベル４に入力された信号は、ノード内で物理ラベル６にクロスコネクトされてノード外へ出力される。一方、ノード１２〜１４がトンネルを形成するノードであるとすると、ノード１２の論理ラベル４から入力した信号は、ノード１４の論理ラベル４から出力される。どの伝送パスがノード１２〜ノード１４の論理ラベル４のパス経路を使用しているかという情報はない。
【００２４】
ネットワーク管理システム２０は、ネットワーク管理者からの操作によってノード１１〜１５に対してパスの設定やパス構成の変更を指示する機能を有する。また、ネットワーク管理システム２０は、記憶部にパス構成を記憶しており、ネットワーク管理者からの指示あるいはネットワーク管理システム自身からの要求に従って構成内容を提供することができる機能を有している。
【００２５】
ネットワーク管理システム２０は、機能的には、通信部２０１と、制御部２０２と、記憶部２０３と、から構成される。
【００２６】
通信部２０１は、所定の通信方式により、ネットワーク３０を介して、ノード１１〜１５へデータの送受を行う。
【００２７】
制御部２０２は、ＣＰＵと、ＲＡＭと、ＲＯＭとを備え、ＲＯＭ等に記憶されているソフトウェアプログラムに従って、ネットワーク管理システム２０全体の制御を行う。例えば、ネットワーク管理者が、変更するＬＳＰを指定すると、ネットワーク管理システム２０は、記憶部２０３に記憶されている情報に基づいて、階層構造の変更処理を開始する。また、ネットワーク管理者等から構成内容の提供を要求されると、制御部２０２は、記憶部２０３に記憶される構成内容を参照して、ネットワーク管理システムが有するディスプレイ等に表示する。
【００２８】
記憶部２０３は、ハードディスクやフラッシュメモリ等の記憶装置を備え、ノード間に設定されているＬＳＰの経路情報や、ＬＳＰが経由するＦＡ−ＬＳＰの情報を、例えば、図７に示すように、記憶する。また、記憶部２０３は、ノード内またはノード間の構成に関する情報を記憶する。例えば、図３、４、１０、１１のような、各ノードの設定情報を記憶する。ネットワーク管理システム２０は、記憶部２０３に記憶されているＬＳＰの経路情報とノードの構成情報から、特定のＬＳＰがどのノードのどのラベルを経由しているか知ることができる。
【００２９】
次に、上記構成を有する伝送ネットワークシステム１において実行される伝送パス階層変更処理について、図８のフローチャートを用いて説明する。以下、ＦＡ−ＬＳＰトンネルを経由しているＬＳＰを、ＦＡ−ＬＳＰトンネルを経由しないように変更する例について説明する。
【００３０】
ネットワーク管理者等が、階層変更の指示をネットワーク管理システム２０に入力すると、ネットワーク管理システム２０の制御部２０２は、記憶部２０３を参照して、変更対象のＬＳＰがどのＦＡ−ＬＳＰを経由しているかの情報を取得する（ステップＳ８０１）。例えば、ネットワーク管理者が、ＬＳＰ５２の階層を変更する指示をしたとすると、ネットワーク管理システム２０は図７に示すテーブルを参照して、ＬＳＰ５２経由しているＦＡ−ＬＳＰ５３の情報を得る。
【００３１】
次に、ネットワーク管理システム２０の制御部２０２は、ノード１１〜１５にシグナリング処理を開始させ、設定された変更対象のＬＳＰ５２を一時削除する（ステップＳ８０２）。
【００３２】
次に、ノードの制御部は、ネットワーク管理システム２０から、階層構造の変更指示を受け付けると、変更対象のＬＳＰが経由するＦＡ−ＬＳＰの上書き設定を、例えばＲＳＶＰ−ＴＥを用いたシグナリングにより行う（ステップＳ８０３）。上書き対象となるＦＡ−ＬＳＰ５３は、ノード１２〜１４により形成されているので、ネットワーク管理システム２０は、ノード１２〜１４の間で、図６に示すシグナリングを行うように指示を出す。この場合、送信されるPathメッセージに、始点ノード、終点ノード、使用ラベル数の他に、上書き設定を示すフラグを付与する。始点ノード１２から終点ノード１４まで経路に沿ってフラグを付与したPathメッセージが送信され終点ノード１４に到達すると、続いて終点ノード１４からReserveメッセージがPathメッセージの経路とは逆方向（ノード１４からノード１２の方向）に送信される。各ノードはReserveメッセージを送信する際に、論理ラベルの付け替えを実施する。例えば、ノード１２では、ＬＳＰ５２は、図４（ａ）に示すように、論理ラベル４に対応付けられているので、論理ラベル４を削除し、図９及び図１０に示すように、その他の論理ラベルを順番に詰めてラベルの付け替えを行う。この論理ラベルの付け替えにより、クロスコネクトが変更されることは無いので、ＦＡ−ＬＳＰ５３を経由して伝送されている信号に影響を及ぼさない。なお、上書き及び上記削除内容は、一旦メモリ上に記録され、ステップＳ８０７で有効化されると削除上書き処理が完了する。
【００３３】
ＦＡ−ＬＳＰを形成するノードの論理ラベルが変更されると、ＦＡ−ＬＳＰを経由している部分のＬＳＰのラベルが変更となるため、該当するＬＳＰのラベルを変更して上書きする必要がある。ＬＳＰのラベルの変更は、前述のＦＡ−ＬＳＰの場合と同様に図６に示すシグナリングによって実施する（ステップＳ８０４）。例えば、ネットワーク管理システム２０は、記憶部２０３に記憶するノード１２の論理ラベルを図３から図１０に変更する。
【００３４】
次に、ネットワーク管理システム２０は、ステップＳ８０１において取得したＦＡ−ＬＳＰのうち、未処理のものがあるか否かを判断する（ステップＳ８０５）。未処理のものがある場合は（ステップＳ８０５；Ｙｅｓ）、ステップＳ８０３に戻って上書き処理を行う。未処理のものがない場合は（ステップＳ８０５；Ｎｏ）、次のステップに進む。
【００３５】
ネットワーク管理システム２０は、変更対象のＬＳＰ（ＬＳＰ５２）を、図６に示すシグナリングにより、ＦＡ−ＬＳＰを経由しない経路で上書き設定を行う（ステップＳ８０６）。この上書き処理により、例えば、ノード１３の制御部は、ＬＳＰとラベルとの関係のテーブルを図４（ｂ）から図１１（ｂ）に変更し、ネットワーク管理システム２０の制御部２０１は、階層化された（ＦＡ−ＬＳＰを経由した）ＬＳＰ５２の経路を、図７に示す経路から、図１２に示す経路に上書き設定する。
【００３６】
ネットワーク管理システム２０は、変更を行ったＦＡ−ＬＳＰの始点に対して、変更内容を有効化するシグナリングを行う（ステップＳ８０７）。これは図６に示すように始点からCommitシグナリングを行って実施する。この有効化の処理により、上書き設定が変更中に不測の事態が発生した場合は設定を無効にして元の状態に戻れることを保証する。
【００３７】
本実施形態では、ＦＡ−ＬＳＰ経由のＬＳＰを通常のＬＳＰにする動作を説明したが、逆の場合も同様に行うことができる。
【００３８】
また、本実施形態では、ノード１１〜１５とネットワーク管理システム２０が同一の装置であってもよい。また、図２では５ノード構成としたが、ノードの数はいくつであっても、どのような網構成であってもよい。また、伝送パスは片方向パスとして説明したが、両方向パスであってもよい。
【００３９】
次に、本実施形態において、変更対象のＬＳＰをＭＰＬＳのＬＳＰではなく、ネットワーク管理システム２０が全ノード各々に設定する伝送パス（静的伝送パス）に変更する場合について説明する。これは図８のフローチャートにおいて、ステップＳ８０６の上書き設定時にＬＳＰではなく、静的伝送パスを指定することで実現される。また、逆に指定された変更対象のＬＳＰが静的伝送パスであった場合には、ステップＳ８０６の上書き設定を、新規ＬＳＰ設定として実施することで実現される。
このように静的伝送パスとＬＳＰの変換も同時に実施することにより、既存の静的伝送パスのみで設定されている伝送網に対してＭＰＬＳの制御を導入しようとする場合、または、この逆の場合に、主信号への影響を及ぼさずに導入を図ることができる。
【００４０】
以上のように、本実施形態によれば、任意のＬＳＰにおいてＦＡ−ＬＳＰ経由している状態からＦＡ−ＬＳＰを経由しない状態へ、あるいは逆方向へ、使用しているラベルを変更することなく階層変更を実現できる。特に、同期デジタルハイアラーキ（ＳＤＨ：Synchronous Digital Hierarchy）網をＧＭＰＬＳで制御する場合にはラベルとタイムスロットをマッピングすることがよく行われており、これによりラベルの変更が主信号の一時切断につながるため、本実施形態がもたらす主信号保護効果は、顕著なものである。
【００４１】
また、主信号に影響を与えずに自由に階層構造を変更できることで、サービス（主信号）中断を気にすることなく、ネットワーク管理者側がネットワークを変更することができる。これにより、これまでは夜間や休日などの影響が比較的小さい時間を選ばなくてはならなかったネットワーク変更を任意の時間に行うことができるため、作業効率の向上が図れるという効果がある。
【符号の説明】
【００４２】
１  伝送ネットワークシステム
１１〜１５  ノード
１２１  データ伝送部
１２２  制御部
１２３  記憶部
２０  ネットワーク管理システム
２０１  通信部
２０２  制御部
２０３  記憶部
３０  ネットワーク
４１〜４４  データリンク
５１、５２  ＬＳＰ
５３  ＦＡ−ＬＳＰ
【図１】
2011010063.tif 000003
【図２】
2011010063.tif 000004
【図３】
2011010063.tif 000005
【図４】
2011010063.tif 000006
【図５】
2011010063.tif 000007
【図６】
2011010063.tif 000008
【図７】
2011010063.tif 000009
【図８】
2011010063.tif 000010
【図９】
2011010063.tif 000011
【図１０】
2011010063.tif 000012
【図１１】
2011010063.tif 000013
【図１２】
2011010063.tif 000014